(57)【特許請求の範囲】
【請求項１】
ベースバンドプロセッサと、
ベースバンドプロセッサをサポートし、単一アーム高周波（ＲＦ）受信機とダイバーシティＲＦ受信機の１つの取付けを選択的に収容し、単一アーム高周波（ＲＦ）受信機とダイバーシティＲＦ受信機のもう１つの省略を収容するように適応されたベース（１０２）と、
を含む高周波（ＲＦ）受信機モジュール（２００）。
【請求項２】
ベースは、ダイバーシティ電圧源とダイバーシティＲＦ発振器のオプションでの取付けを収容するように適応されている、請求項１のモジュール。
【請求項３】
ベースは、スマート構成と関連付けられたスマートプロセッサのオプションでの取付けを収容するように適応されている、請求項１のモジュール。
【請求項４】
ベースバンドプロセッサをオーディオシステムメインプリント回路基板と接続するように構成されたコネクターを更に含む、請求項３のモジュール。
【請求項５】
ベースは、スマートプロセッサをコネクターと接続するように構成された複数のスマート信号コネクションのオプションでの取付けを収容するように適応されている、請求項４のモジュール。
【請求項６】
ベースは、インターオペラブルアンテナ仕様との適合性を提供するＲＦ  ＡＵＸ  調整器のオプションでの取付けを収容するように適応されている、請求項１のモジュール。
【請求項７】
ベースバンドプロセッサに接続され、ベースバンドプロセッサをオーディオシステムメインプリント回路基板と接続するように構成されたコネクターを更に含む、請求項６のモジュール。
【請求項８】
ベースは、ＲＦ  ＡＵＸ  調整器とコネクターの間に作られたインターオペラブルコネクションのオプションでの取付けを収容するように適応されている、請求項１のモジュール。
【請求項９】
ベースによってサポートされ、ベースバンドプロセッサに電気的に接続されたメモリ装置を更に含む、請求項１のモジュール。
【請求項１０】
高周波（ＲＦ）受信機モジュール（２００）を製造する方法（３００）であって、
ベースを提供することと、
ベース上にベースバンドプロセッサをサポートすることと、
モジュールのための特徴選択肢を決定することであって、特徴選択肢はアンテナタイプ、ＲＦタイプ、スタックタイプの１つからなることと、
決定するステップに依存してベース上に、第一オプショナルハードウェアコンポーネント（２２１）を選択的に取付け、第二のオプショナルハードウェアコンポーネント（２２１）を省略することと、
を含む方法。
【請求項１１】
アンテナタイプは、ＸＭオンリー受信またはインターオペラブル受信からなる、請求項１０の方法。
【請求項１２】
決定するステップは、アンテナタイプがインターオペラブル受信からなることを決定することを含み、選択的に取付けするかまたは省略するステップは、ＸＭ衛星無線信号とシリウス衛星無線信号の両方をデコードするように適応されたハードウェアを取付けすることを含む、請求項１１の方法。
【請求項１３】
ＲＦタイプは、単一アームアンテナ構成またはダイバーシティアンテナ構成からなる、請求項１０の方法。
【請求項１４】
スタックタイプは、スマート構成またはスタックレス構成からなる、請求項１０の方法。
【請求項１５】
特徴選択肢は第一の特徴選択肢からなり、方法は、
モジュールのための第二の特徴選択肢を確定することであって、第二の特徴選択肢は、オーディオフォーマット、リボンケーブルコネクタータイプ、マーケットタイプ、メモリサイズ、ＲＦコネクタータイプの１つからなることと、
確定するステップに依存してベース上に、第三のオプショナルハードウェアコンポーネントを選択的に取付けするかまたは省略することと、
を更に含む、請求項１０の方法。
【請求項１６】
オーディオフォーマットは、ソニーフィリップスデジタルインターフェース（ＳＰＤＩＦ）オーディオフォーマットまたはインターＩＣサウンド（Ｉ２Ｃ）オーディオフォーマットからなる、請求項１５の方法。
【請求項１７】
リボンケーブルコネクタータイプは、Ｊ１００またはＪ１０１からなる、請求項１５の方法。
【請求項１８】
マーケットタイプは、モジュールが配送されるべきところの地理的エリアからなる、請求項１５の方法。
【請求項１９】
メモリサイズは、ベースバンドプロセッサに電気的に接続されたメモリ装置のサイズからなる、請求項１５の方法。
【請求項２０】
ＲＦコネクタータイプは、アンテナからＲＦ信号を受信するように適応されたコネクターのタイプからなる、請求項１５の方法。
【請求項２１】
アンテナと、
ベースバンドプロセッサと、
ベースバンドプロセッサに結合されたオーディオシステムメイン回路基板と、
ベースバンドプロセッサをサポートし、アンテナに結合された単一アーム高周波受信機とアンテナに結合されたダイバーシティ高周波受信機のどちらかを選択的にサポートするように適応されたベース（１０２）であって、ベースは、アンテナの構成、スタックがオーディオシステムメイン回路基板によって維持されているかどうか、および／またはアンテナが受信することができる高周波信号のタイプに依存して、少なくとも１つの第一のオプショナルハードウェアコンポーネントの取付けと、少なくとも１つの第二のオプショナルハードウェアコンポーネントの省略を選択的に収容するように適応されているものと、
を含む高周波受信機配置。
【請求項２２】
アンテナの構成は、単一アームアンテナ構成またはダイバーシティアンテナ構成からなる、請求項２１の配置。
【請求項２３】
ベースは、ＸＭスタックがオーディオシステムメイン回路基板上のプロセッサによって維持されているかどうかに依存して、少なくとも１つの第一のオプショナルハードウェアコンポーネントを選択的にサポートするように適応されている、請求項２１の配置。
【請求項２４】
ベースは、アンテナがＸＭ衛星無線信号とシリウス衛星無線信号の両方を受信することができるかどうかに依存して、少なくとも１つの第一のオプショナルハードウェアコンポーネントを選択的にサポートするように適応されている、請求項２１の配置。
【請求項２５】
少なくとも１つの第一のオプショナルハードウェアコンポーネントは、ダイバーシティ電圧源とダイバーシティ高周波発振器からなる、請求項２１の配置。
【請求項２６】
少なくとも１つの第一のオプショナルハードウェアコンポーネントは、スマート構成と関連付けられたスマートプロセッサからなる、請求項２１の配置。
【請求項２７】
ベースバンドプロセッサをオーディオシステムメイン回路基板と接続するように構成されたコネクターを更に含み、少なくとも１つの第一のオプショナルハードウェアコンポーネントは、スマートプロセッサをコネクターと接続するように構成された複数のスマート信号コネクションからなる、請求項２６の配置。
【請求項２８】
少なくとも１つの第一のオプショナルハードウェアコンポーネントは、インターオペラブルアンテナ仕様との適合性を提供するＲＦ  ＡＵＸ  調整器からなる、請求項２１の配置。
【請求項２９】
ベースバンドプロセッサに接続され、ベースバンドプロセッサをオーディオシステムメイン回路基板と接続するように構成されたコネクターを更に含み、少なくとも１つの第一のオプショナルハードウェアコンポーネントは、ＲＦ  ＡＵＸ  調整器とコネクターの間に作られたインターオペラブルコネクションからなる、請求項２８の配置。
【発明の詳細な説明】
【技術分野】
【０００１】
本発明は、一般に高周波（ＲＦ）受信機モジュールのような通信装置の設計と製造に関する。特に、本発明は、ＲＦ受信機モジュールの設計のための柔軟な特徴選択を許容しつつ、モジュールの設計と製造プロセスを簡略化するシステムと方法に関する。
【背景技術】
【０００２】
衛星無線送信を受信するように適応されたチューナーモジュールのようなＲＦ受信機モジュールの設計者は、与えられたＲＦ受信機モジュールデザインに含めるべき特徴に関する多くの特徴選択を行わなければならない。例えば、いくつかのＲＦ受信機モジュールデザインは、単一アンテナ（単一アームアンテナ構成）を有するオーディオシステムでの使用が意図されていても良く、一方他のＲＦ受信機モジュールデザインは複数アンテナ（ダイバーシティアンテナ構成）をもつシステムでの使用が意図されていても良い。これは典型的なＲＦ受信機モジュールの設計において行われる特徴選択の一例に過ぎない。与えられたＲＦ受信機モジュールデザインの各々のために特定の特徴セットが欲しい自動車製造業者のような顧客によって多数の特徴選択が行われる。
【０００３】
利用可能な特徴の選択（例えば、単一アームアンテナ構成とダイバーシティアンテナ構成の間の選択）は、ＲＦ受信機モジュールについてのハードウェアおよびソフトウェア要求に衝撃を与える。与えられたＲＦ受信機モジュールデザインのために選択された特徴セットによって、様々なハードウェアおよびソフトウェアコンポーネントが要求されるか要求されないかのどちらかであり得る。サポートされた特徴選択肢の数が増えるにつれて、異なるハードウェアおよびソフトウェアデザインの数も増える。このデザインの数の増加により、ＲＦ受信機モジュールの製造者にとっては別々のデザインを維持しサポートすることに帰することができる複雑さと費用も増加する。
【発明の概要】
【０００４】
開示された実施形態は、特徴選択肢の完全なセットから選択された特徴選択肢のサブセットを実装する通信装置に関する。例示的実施形態は、特徴選択肢のあらゆるサブセットに共通な少なくとも１つの共通ハードウェアコンポーネントと、特徴選択肢の完全なセットの少なくとも１つの特徴に関連付けられた少なくとも１つのオプショナルハードウェアコンポーネントの取付けを収容するように適応されたベースと、からなる。
【０００５】
上述したものおよびその他の本発明の特徴と利点、およびそれらを遂げる方法は、添付された図面と共に発明の一実施形態の以下の記載を参照することによって明らかとなり、より良く理解されるであろう。
【０００６】
いくつかの図を通して、対応する参照文字は対応する部分を示す。ここに説明する例示は発明の好ましい実施形態を一つの形で描き、そのような例示は、発明の範囲をいかなるやり方においても制限するものと理解されるべきではない。
【図面の簡単な説明】
【０００７】
【図１】図１は、本発明の例示的実施形態に従ったＲＦ受信機モジュールの斜視図である。
【図２】図２は、本発明の例示的実施形態に従ったＲＦ受信機モジュールのブロック図である。
【図３】図３は、本発明の例示的実施形態に従ったプロセスを示すフロー図である。
【発明を実施するための形態】
【０００８】
このセクションは、以下に記載されおよび／または請求される本発明の様々な側面に関連し得る技術の様々な側面を読者に紹介することを意図している。この議論は、本発明の様々な側面のより良い理解を容易にする背景情報を読者に提供するのに有用であると信じる。従って、これらの言明は従来技術の承認としてではなく、この見方で読まれるべきものであることが理解されるべきである。
【０００９】
本発明の例示的実施形態は、通信装置の設計において向上された柔軟性を許容する。特に、本発明の例示的実施形態に従ったＲＦ受信機モジュールは、特徴選択肢の完全なセットから幅広い範囲の特徴選択肢のサブセットをサポートしつつ、システムデザインの複雑さとコストを削減するように適応されている。特徴選択肢は対応するハードウェアおよびソフトウェアシステムコンポーネントにモジュール形式でマッピングされて、システムデザインの管理可能な最適化を許容する。しかも、本発明の例示的実施形態は、比較的少ない数の共通ハードウェアおよびソフトウェアコンポーネントをもつ特徴選択肢の完全なセットからの特徴選択肢のサブセットのいかなるものもサポートするようにＲＦ受信機モジュールが設計されることを許容する。
【００１０】
図１は、本発明の例示的実施形態に従ったＲＦ受信機モジュールの斜視図である。ＲＦ受信機モジュールは、全体的に参照番号１００によって参照される。ＲＦ受信機モジュール１００は、ＲＦ信号を受信してデコードする様々な電子コンポーネントのためのサポートとしての役割を果たすベース１０２を含む。図２に関して詳細に説明されるように、ベース１０２は、特徴の完全なセットの少なくとも１つの特徴に関連付けられた少なくとも１つのオプショナルハードウェアコンポーネントを収容するように適応されている。更にベース１０２は、もしオプショナルハードウェアコンポーネントに関連付けられた特徴が特定のデザインのための特徴の完全なセットからの選ばれた特徴のサブセットの一部でなければ、オプショナルハードウェアコンポーネントの省略を収容するように適応されている。
【００１１】
ＲＦ受信機モジュール１００の例示的実施形態は、以下のタイプの信号の１つ以上のためのデコーダからなる：ＸＭ衛星無線、シリウス衛星無線、ＡＭ／ＦＭラジオ、グローバルポジショニングシステム（ＧＰＳ）、ＷｉＭＡＸ、デジタルオーディオ放送（ＤＡＢ）デジタル無線、携帯電話または同様の受信機および送受信機。本発明の例示的実施形態に従ったオーディオシステムは、各々が１つ以上の信号タイプを受信しデコードするように適応された１つ以上のＲＦ受信機モジュールを含む。
【００１２】
ＲＦ受信機モジュール１００は、ＲＦコネクター１０４とリボンケーブルコネクター１０６を含む。ＲＦコネクター１０４は、アンテナ（図示せず）のような信号源からのＲＦ信号を受信するように適応されている。リボンケーブルコネクター１０６は、ＲＦ受信機モジュール１００を、一般的オーディオ処理回路をサポートするオーディオシステムメインプリント回路基板（ＰＣＢ）（図示せず）に接続するように適応されている。オーディオシステムメインＰＣＢは、オーディオシステムの全体的動作を制御するプロセッサを含んでも良い。加えて、オーディオシステムメインＰＣＢは、信号源、音量等のようなオーディオシステムパラメータのユーザ選択を容易にするように適応されていても良い。
【００１３】
図１に描かれた例示的実施形態は、単一のアンテナ（単一アームアンテナ構成）からの信号または（複数のアンテナ（ダイバーシティアンテナ構成）からの信号のような）複数の信号のどちらかを受信するように適応されている。ＲＦ受信機モジュール１００のための追加の特徴選択肢の例には、ＲＦ受信機モジュール１００が、典型的にはＲＦ受信機モジュール１００中のコンポーネントとして追加のプロセッサの支出を必要とさせるデジタル情報の埋め込みスタック（例えばＸＭスタック）を採用するかどうかを含む。スタックを操るのにオンボードプロセッサを含むＲＦ受信機モジュール構成は、ここでは「スマート」構成と呼ばれる。「スタックレス」構成は、ＲＦ受信機モジュール１００のスマート構成に対する代替形である。「スタックレス」という用語はここでは、ＸＭスタックのようなスタックがＲＦ受信機モジュール１００の外部に維持されているＲＦ受信機モジュール構成に言及するものである。例として、スタックレスＲＦ受信機モジュール構成は、オーディオシステムメインＰＣＢ（図示せず）上のプロセッサによって維持される外部ＸＭスタックを利用しても良い。
【００１４】
ＲＦ受信機モジュール１００に対する別の特徴選択肢は、ＲＦ受信機モジュール１００がＸＭ衛星無線送信のみのように単一のタイプの受信情報に適合するもであるかどうかである。それに代えて、ＲＦ受信機モジュール１００は、複数ソースからの信号を受信するように適応されていても良い。例として、ＸＭ衛星無線とシリウス衛星無線の両方を受信することが可能な単一のアンテナをサポートするようにアンテナ標準が開発されている。この標準は、衛星デジタルオーディオ無線サービス（ＳＤＡＲＳ）インターオペラブルアンテナ仕様（しばしばインターオペラブルアンテナ仕様と呼ばれる）として知られている。もしインターオペラブルアンテナを有するオーディオシステムにおける使用のために適応されれば、ＲＦ受信機モジュール１００は、ＸＭ衛星無線信号とシリウス衛星無線信号の両方をデコードするハードウェアおよびソフトウェアコンポーネントを含む。
【００１５】
特徴選択肢の更なる例には、ＲＦ受信機モジュール１００によって処理される情報のオーディオフォーマットと、ＲＦ受信機モジュール１００を外部コンポーネントにインターフェースするのに使われるコネクタータイプがある。異なるオーディオフォーマットの例には、ソニーフィリップスデジタルインターフェースフォーマット（ＳＰＤＩＦ）とインターＩＣサウンド（Ｉ２Ｃ）オーディオフォーマットを含む。当業者に知られているコネクタータイプの例には、Ｊ１００コネクターとＪ１０１コネクターを含む。
【００１６】
以下のテーブル１は、本発明の例示的実施形態を説明するのに有用な例示的特徴選択肢マトリクスである。しかもテーブル１は、ＲＦ受信機モジュール特徴選択肢構成またはグループのサブセットの例示的集まりを示す。テーブル１に示された特徴選択肢の各サブセットは、特定のハードウェアおよびソフトウェアコンポーネントに対する５つの特徴選択肢のマッピングに対応する。テーブル１に示された５つのデザイン選択肢は：ＸＭオンリー受信対インターオペラブル受信（テーブル１で「アンテナタイプ」として同定される）、ＳＰＤＩＦオーディオフォーマット対Ｉ２Ｓオーディオフォーマット（テーブル１で「オーディオフォーマット」として同定される）、単一アームアンテナ構成対ダイバーシティアンテナ構成（テーブル１で「ＲＦタイプ」として同定される）、スマート構成対スタックレス構成（テーブル１で「スタックタイプ」として同定される）、およびリボンケーブルコネクタータイプ（Ｊ１００対Ｊ１０１）である。テーブル１に提示される例では、特徴選択肢のトータルなまたは完全なセットはこれらの５つの特徴選択肢からなる。当業者は、これらの特徴選択肢がここでは例として議論されていることを理解するであろう。本発明の例示的実施形態において採用され得る特徴選択肢の範囲は、ここに提示される例によって限定はされない。本発明の例示的実施形態において考慮に入れ得る追加の特徴選択肢には、例えば、マーケットタイプ（例えば、ＵＳマーケット、カナダマーケット等）、メモリサイズ（例えば、１２８メガバイト、２５６メガバイト等）、またはＲＦコネクタータイプ（例えば、Fakra対ＳＭＢ（SubMiniature B）を含む。
【表１】
0005463145.tif 000002
【００１７】
テーブル１では、構成特徴選択肢の各独自のサブセットは、対応するコード名を使って指名されている。テーブル１では、アイスクリームの味がコード名として使われている。例として、スタックレスのスタックタイプと、ダイバーシティのＲＦタイプと、インターオペラブルのアンテナタイプと、Ｉ２Ｓのオーディオタイプを有するＲＦ受信機モジュール構成は、ナポリタンというコード名によって指名されている。他の例として、スマートのスタックタイプと、単一アームのＲＦタイプと、ＸＭのアンテナタイプと、Ｉ２Ｓのオーディオタイプと、Ｊ１０１のコネクタータイプを有するＲＦ受信機モジュール構成は、ストロベリーというコード名によって指名されている。テーブル１に提示された例示的構成マトリクスによって示されるように、全ての特徴選択肢サブセットが、全ての特徴選択肢を考慮する必要はない。例えば、テーブル１に示された例示的構成データでは、ダイバーシティのＲＦタイプをもつＲＦ受信機モジュール構成にはコネクタータイプの選択肢は無い。テーブル１に示された特徴選択肢のサブセットの、特定のハードウェアおよびソフトウェア構成へのマッピングは、図２を参照して以下で議論される。
【００１８】
図２は、本発明の例示的実施形態に従ったＲＦ受信機モジュールのブロック図である。ＲＦ受信機モジュールは、全体的に参照番号２００によって参照される。図２に示された様々なコンポーネントは、ベース１０２（図１）のようなベース上に配置されても良い。ＲＦ受信機モジュール２００は、オーディオシステムメインＰＣＢ（図示せず）へのインターフェースを提供するコネクター１０６（図１）を含む。
【００１９】
以下で提示されるように、図２に描かれた例示的ＲＦ受信機モジュール２００デザインでは、いくつかのコンポーネントは特徴選択肢の全てのサブセットに共通である。オプショナルな特徴を含む特徴選択肢のサブセットを有するデザインをサポートするように必要であれば追加のオプショナルコンポーネント（ハードウェアかソフトウェアのどちらか）が追加されても良い。もし与えられたＲＦ受信機モジュールデザインについていくつかのオプショナル特徴が選択されなければ、これらのオプショナル特徴を提供および／またはサポートするのに必要となるハードウェアおよびソフトウェアコンポーネントは、デザインから省略される。このようなやり方で、特徴選択肢の完全なセットからの特徴選択肢の異なるサブセットに基づいたＲＦ受信機モジュールデザインの幅広い種類を作成するのに、コンポーネントの特定の、既知のグループが使われても良い。
【００２０】
テーブル１に示された特徴選択肢のあらゆるサブセットに共通なハードウェアコンポーネントの例は、ベースバンドプロセッサ２１０である。共通なハードウェアコンポーネントの他の例は、同期ダイナミックランダムアクセスメモリ（ＳＤＲＡＭ）等のようなランダムアクセスメモリ（ＲＡＭ）２１２である。本発明の例示的実施形態では、ＲＡＭ２１２は、ＲＦ受信機モジュール２００の動作をサポートする１つ以上のソフトウェアコンポーネントを含む。ＲＡＭ２１２に含まれるソフトウェアコンポーネントは、ＲＦ受信機モジュール２００の特徴選択肢の特定のサブセットのみをサポートするように独自に構成されていても良い。しかも、特徴選択肢の異なるサブセットのために異なるソフトウェアコンポーネントがＳＤＲＡＭ２１２中に格納されていても良い。これに代えて、特徴選択肢のあらゆるサブセットをサポートすることが可能な単一の構成可能なソフトウェアモジュールがＲＡＭ２１２中に格納されていても良い。
【００２１】
図２に描かれた他のコンポーネントは、図１に描かれた特徴選択肢の完全なセットからどの特徴選択肢のサブセットが選択されたかによるオプショナルなものである。例えば、図２に描かれた例示的デザインは、ＲＦタイプの特徴選択肢が単一アーム構成として選択されたかまたはダイバーシティ構成として選択されたかによって、単一アームＲＦ受信機２０２またはダイバーシティＲＦ受信機２１８のどちらかを含んでも良い。単一アームＲＦ受信機２０２は情報の１チャネルの受信が可能である。ダイバーシティＲＦ受信機２１８は、情報の複数チャネルの受信をサポートすることが可能である。図２に描かれた例示的実施形態では、単一アームＲＦ受信機２０２はパーツ番号ＳＩ２２１３／ＳＩ２２１５によって更に識別される。図２に描かれた例示的実施形態では、ダイバーシティＲＦ受信機２１８はパーツ番号ＳＩ２２１４によって更に識別される。簡単のために、この出願の残りでは、ダイバーシティＲＦ受信機２１８が特定に言及されない限りＲＦ受信機モジュール２００には単一アームＲＦ受信機２０２が取付けられているものと仮定する。
【００２２】
ベースバンドプロセッサ２１０は、単一アームＲＦ受信機２０２からの出力を受信する。ベースバンドプロセッサ２１０は、受信した信号を処理してそれをコネクター１０６に配送し、そこでそれはオーディオシステムメインＰＣＢ(図示せず)へと渡される。単一アームＲＦ受信機２０２は、周波数シンセサイザー２０４に接続されている。周波数シンセサイザー２０４の目的は、ＲＦ受信機２０２に含まれたミキサーのための正しいローカル発振器（ＬＯ）周波数を提供することである。これらのＬＯ周波数は、ＲＦ周波数をより低い周波数に下方変換して、ベースバンドチップＡＤＣが下方変換されたＲＦ信号を復調およびデコーディングの前にデジタル化するようにする。参照結晶２０６とＲＦコネクター２０８もまた、ＲＦ受信機２０２に接続されている。参照結晶は受信機システム全体のためのクロックを提供する。ＲＦコネクターは許可されたアンテナモジュールに接続されている。このアンテナモジュールは、システム雑音指数を設定する低ノイズ増幅器（ＬＮＡ）を含んでも良い。
【００２３】
もしダイバーシティ構成ＲＦタイプが選ばれれば、（ダイバーシティＲＦ受信機２１８以外に）追加のダイバーシティアンテナコンポーネントが、ＲＦ受信機モジュール２００に追加される。図２に描かれた例では、それらの追加のダイバーシティ構成コンポーネントは、ダイバーシティ電圧源２１４とダイバーシティＲＦ発振器２１６を含む。図２に描かれるように、追加のダイバーシティコンポーネントは、普通の鎖線で囲まれているように示されている。
【００２４】
もし特定のＲＦ受信機モジュールデザインのためのスタックタイプ特徴選択肢が（スタックレスではなく）スマートであれば、スマートコンポーネントのセットがＲＦ受信機モジュール２００に追加される。これらのスマートコンポーネントは、１点鎖線からなるボックス内に囲まれているように描かれている。図２に描かれた例示的実施形態では、スマートコンポーネントは、スマートプロセッサ２２１、スマート信号コネクションの第一のグループ２２２、およびスマート信号コネクションの第二のグループ２２４からなる。スマートプロセッサ２２１は、図２での描写のために、Atmelから入手可能なAVR Atmega644プロセッサとして示されているが、他の好適なプロセッサを使っても良い。スマート信号コネクションの第一のグループ２２２とスマート信号コネクションの第二のグループ２２４は、図２に描かれた例示的実施形態ではスマートプロセッサ２２１とコネクター１０６の間に作られる。
【００２５】
もしアンテナタイプ特徴選択肢が（ＸＭオンリーではなく）インターオペラブルであれば、インターオペラブルコンポーネントとコネクションの追加のセット２２６がＲＦ受信機モジュール２００に追加される。インターオペラブルコンポーネントとコネクション２２６は、図２では、２点鎖線からなるボックス内に囲まれているように描かれている。インターオペラブルコンポーネントとコネクション２２６は、図２に描かれた実施形態では、ＲＦ  ＡＵＸ  調整器２２８からなる。ＲＦ  ＡＵＸ  調整器２２８は、前述したインターオペラブルアンテナ仕様との適合性を提供する。インターオペラブルコネクションは、ＲＦ  ＡＵＸ  調整器２２８とコネクター１０６の間に作られる。
【００２６】
ここに提示されたＲＦ受信機デザインは、同じベーシックデザインをもつ特徴選択肢の完全なセットからの幅広い範囲の特徴選択肢のサブセットの実装を許容することを当業者は理解するであろう。デザインがモジュール形式であるので、ハードウェアおよびソフトウェアコンポーネントの固定されたセットを使ってより大きな量を処理することができ、従って製造コストを低減し品質を増加させる。
【００２７】
図３は、本発明の例示的実施形態に従ったプロセスを示すフロー図である。フロー図は、全体的に参照番号３００によって参照される。ブロック３０２において、プロセスが開始始される。
【００２８】
ブロック３０４において、特徴選択肢のサブセットが特徴選択肢の完全なセットから選択される。本発明の例示的実施形態では、上記のテーブル１に特徴選択肢の完全なセットが同定され、有効な特徴選択肢のサブセットが提示されている。特徴選択肢の完全なセットのサブセットは、テーブル１に提示した個別のコード名に対応している。ブロック３０６において、それらのハードウェアまたはソフトウェアコンポーネントによってサポートされた特徴が、与えられたデザインのための特徴の完全なセットから選ばれた特徴のサブセット中にあるかどうかによって、オプショナルコンポーネントが選択されるかまたはＲＦ受信機モジュールデザインから省略される。ブロック３０８において、プロセスは終了する。
【００２９】
発明は様々な変形や代替形を許しても良いが、特定の実施形態が例として図面に示されており、ここに詳細に記載される。しかし、発明は、特定の開示された形態に限定されることを意図したものではないことは理解されるべきである。むしろ、発明は、以下の添付された請求項によって定義される発明の精神と範囲内に入る全ての変形、同等物および代替物を包含する。
【図１】
0005463145.tif 000003
【図２Ａ】
0005463145.tif 000004
【図２Ｂ】
0005463145.tif 000005
【図３】
0005463145.tif 000006